(57)【要約】【課題】カップに、液体を注ぐだけで、サイホンの原理で他の容器に定量の液体を移すことができると共に、マドラーを付けたサイホン式計量カップを提供する。【解決手段】カップ１の口縁２の下の胴部３を、逆Ｕ字型のサイホン管４の頂上部５の外周に接して貫通させて、該サイホン管４の両端ある片方の配管の末端６は、該カップ１内の底７の近くまで配管されていると共に、もう片方の配管の末端８は、該カップ２の胴部３を接して貫通してカップ１の外部に突出して、該カップ１の胴部３に沿って、該カップ１の底７よりも下に延ばして配管していて、末端８にマドラー９を付属したことを特徴とするマドラー付サイホン式計量カップである。【選択図】図３
2010256017.tif 000002
【特許請求の範囲】
【請求項１】
カップに、液体を注ぐだけで、サイホンの原理で他の容器に定量の液体を移すことができることを特徴とするマドラー付サイホン式計量カップ。
【請求項２】
前記カップの口縁下の胴部を、逆Ｕ字型のサイホン管の頂上部の外周に接して貫通させて、該サイホン管の両端ある片方の配管の末端は、該カップ内の底近くまで配管されていると共に、もう片方の配管の末端は、該カップの外に突出して、該カップ外側の胴部に沿って、該カップの底より下へ延ばして配管したことを特徴とする請求項１に記載のマドラー付サイホン式計量カップ。
【請求項３】
前記カップの中に逆Ｕ字型のサイホン管を設けて、該サイホン管の頂上部は、該カップの口縁より低く配管されていて、該サイホン管の両端の片方の末端は、該カップ底近くまで配管されていると共に、もう片方の末端は、該カップの底を配管の外周に接して貫通させて、該カップの底より下へ延ばして配管したことを特徴とする請求項１に記載のマドラー付サイホン式計量カップ。
【請求項４】
前記カップの底より下へ延ばした配管の末端に、マドラーを設けたことを特徴とする請求項２又は３に記載のマドラー付サイホン式計量カップ。
【請求項５】
前記カップの底の下から前記マドラーまでの配管部分を。脱着及び伸縮可能の構造としたことを特徴とする請求項４に記載のマドラー付サイホン式計量カップ。
【発明の詳細な説明】
【技術分野】
【０００１】
本発明は、カップに液体を注ぐだけで、サイホンの原理で他の容器に定量の液体を移すことができるマドラー付サイホン式計量カップに関するものである。        
【背景技術】
【０００２】
従来、定量の液体を、計量カップで測定してから、他の容器へ移していたので、手間がかかりました。また、容器に、氷等が入っている時、直接容器に目分量で、定量の液体を注ぐのが難しかった。
【発明の概要】
【発明が解決しようとする課題】
【０００３】
解決しようとする問題点は、容器に定量の液体を簡単に注げない点である。さらに、容器内の液体をかき混ぜる、マドラーを別に用意しなければならない点である。
【課題を解決するための手段】
【０００４】
前記課題を解決するため、本願請求項１にかかる発明は、カップに、液体を注ぐだけで、サイホンの原理で他の容器に定量の液体を移すことができることを特徴とする。
【０００５】
また、本願の請求項２にかかる発明は、請求項１にかかる発明において、前記カップの口縁下の胴部を、逆Ｕ字型のサイホン管の頂上部の外周に接して貫通させて、該サイホン管の両端ある片方の配管の末端は、該カップ内の底近くまで配管されていると共に、もう片方の配管の末端は、該カップの外に突出して、該カップ外側の胴部に沿って、該カップの底より下へ延ばして配管したことを特徴とする。
【０００６】
また、本願の請求項３にかかる発明は、請求項１にかかる発明において、前記カップの中に逆Ｕ字型のサイホン管を設けて、該サイホン管の頂上部は、該カップの口縁より低く配管されていて、該サイホン管の両端の片方の末端は、該カップ底近くまで配管されていると共に、もう片方の末端は、該カップの底を配管の外周に接して貫通させて、該カップの底より下へ延ばして配管したことを特徴とする。
【０００７】
また、本願の請求項４にかかる発明は、請求項２又は３にかかる発明において、前記カップの底より下へ延ばした配管の末端に、マドラーを設けたことを特徴とする。
【０００８】
また、本願の請求項５にかかる発明は、請求項４にかかる発明において、前記カップ底の下から前記マドラーまでの配管部分を、脱着及び伸縮可能の構造としたことを特徴とする。                                                                                                            
【発明の効果】
【０００９】
カップに、逆Ｕ字型のサイホン管の頂上部の上まで液体を注ぐことにより、サイホンの原理で他の容器に定量の液体を簡単に移すことができると共に、マドラーを付属しているので、容器内の液体をかき混ぜるのに便利である。また、他の容器の口縁が小さくても、サイホン管自体が細いので、スムーズに他の容器に液体を移すことができると共に、カップ底の下からマドラーまでの配管部分を、脱着及び伸縮可能の構造としたので、コンパクトになる。
【図面の簡単な説明】
【００１０】
【図１】カップ胴部をサイホン管が貫通するマドラー付サイホン式計量カップの正面図
【図２】カップ胴部をサイホン管が貫通するマドラー付サイホン式計量カップの断面図
【図３】カップ胴部をサイホン管が貫通するマドラー付サイホン式計量カップの使用説明        図
【図４】カップ底をサイホン管が貫通するサイホン式計量カップの正面図
【図５】カップ底をサイホン管が貫通するサイホン式計量カップの断面図
【図６】カップ底をサイホン管が貫通するサイホン式計量カップの使用説明図
【図７】カップ底下よりマドラーまでの配管部分を、脱着及び伸縮可能にした断面図
【図８】カップ胴部をサイホン管が貫通するマドラー付サイホン式計量カップに、カップ底下よりマドラーまでの配管部分を、脱着及び伸縮可能にした断面図
【図９】カップ底をサイホン管が貫通するマドラー付サイホン式計量カップに、カップ底下よりマドラーまでの配管部分を、脱着及び伸縮可能にした断面図
【発明を実施するための最良の形態】
【００１１】
以下、本発明の実施するための形態を図１〜図９基づいて説明する。
【実施例】
【００１２】
図１は、カップの胴部をサイホン管が貫通するマドラー付サイホン式計量カップの正面図である。図１において、カップ１の口縁２下の胴部３を、逆Ｕ字型のサイホン管４の頂上部５の外周に接して貫通させて、サイホン管４の両端ある片方の配管の末端８は、カップ１の胴部３を接して貫通させてカップ１の外部に突出して、カップ１外側の胴部３に沿って、サイホン管４は、カップ１の底７よりも下に延ばして配管して、末端８にマドラー９を付属している。      
【００１３】
図２は、カップの胴部をサイホン管が貫通するマドラー付サイホン式計量カップの断面図である。図２において、カップ１の口縁２下の胴部３を、逆Ｕ字型のサイホン管４の頂上部５の外周に接して貫通させて、サイホン管４の両端ある片方の配管の末端６は、カップ１内の底７近くまで配管していると共に、もう片方の配管の末端８は、カップ１の胴部３を接して貫通させて、カップ１の外部に突出して、カップ１外側の胴部３に沿って、カップ１の底７よりも下に延ばして配管して、末端８の外周にマドラー９を付属している。
【００１４】
図３は、カップの胴部をサイホン管が貫通するマドラー付サイホン式計量カップの使用説明図である。図３において、容器１０の口縁１１に、サイホン管頂上部５の曲管部を引掛ける。そして、カップ１に液体をサイホン管頂上部５を超えた高水位Ｈまで注ぐ。すると液体は、サイホンの原理により、カップ１内の末端６からサイホン管４内部を通って矢印の方向へ流れて、容器１０内の末端８より、液体を流出して、カップ１は、殆ど空になる。容器１０へ移す液体の量は、カップ１の低水位Ｌ，高水位Ｈ及びカップ１の底面積から算出される容積であり、一定量である。
【００１５】
図４は、カップの底をサイホン管が貫通するサイホン式計量カップの正面図である。図４において、カップ１の中に逆Ｕ字型のサイホン管４を設けて、サイホン管４の両端の片方の末端８は、カップの底７を配管の外周に接して貫通して、カップの底７から下へ延びている。
【００１６】
図５は、カップの底をサイホン管が貫通するサイホン式計量カップの断面図である。図５において、カップ１の中に逆Ｕ字型のサイホン管４を設けて、サイホン管頂上部５は、カップ１の口縁２より低く配管されていて、サイホン管４の両端の片方の末端６は、底７近くまで配管されていると共に、もう片方の末端８は、底７を配管の外周に接して貫通して、カップの底７から下へ延びている。
【００１７】
図６は、カップの底をサイホン管が貫通するサイホン式計量カップの使用説明図である。図６において、カップ１に、サイホン管頂上部５を超えた高水位Ｈまで液体を注ぐ。すると液体は、サイホンの原理により、カップ１の末端６からサイホン管４の内部を通って矢印の方向に流れて、末端８より容器１０へ液体を移してカップ１は、殆ど空になる。また、容器１０へ移る液体の量は、カップ１の低水位Ｌ，高水位Ｈ及びカップ１の底面積から算出される容積であり、定量である。
【００１８】
図７は、カップ底下よりマドラーまでの配管部分を、脱着及び伸縮可能にした断面図である。図７（A）及び（B）において、カップ底下からマドラーまでの配管部分を分割して、マドラー９が付属している配管１３をスライドして伸縮できる。図７（Ａ）は、配管１３をスライドして伸ばした状態で、図７（Ｂ）は、配管１３をスライドして配管１３内に配管１２を収めた状態である。また、配管１２から配管１３を脱着もできる構造になっている。
【００１９】
図８は、カップ胴部をサイホン管が貫通するマドラー付サイホン式計量カップに、カッ
プ底下からマドラーまでの配管部分を、脱着及び伸縮可能にした断面図である。図８において、カップ１の口縁２下の胴部３を、逆Ｕ字型のサイホン管４の頂上部５の外周に接して貫通させて、サイホン管４の両端ある片方の配管の末端６は、カップ１内の底７近くまで配管していると共に、もう片方の配管の末端８は、カップ１の胴部３を接して貫通させてカップ１の外部に突出して、カップ１の外側の胴部３に沿って、カップ底７の下からマドラーまでの配管部分を分割して、マドラー９が付属している配管１３をスライドして伸縮できる。また、配管１２から配管１３を脱着もできる構造になっている。
【００２０】
図９は、カップ底サイホン管が貫通するマドラー付サイホン式計量カップに、カップ底
下からマドラーまでの配管部分を、脱着及び伸縮可能にした断面図である。図９において、カップ１の中に逆Ｕ字型のサイホン管４を設けて、サイホン管頂上部５は、カップ１の口縁２より低く配管して、サイホン管４の両端の片方の末端６は、底７の近くまで配管されていると共に、もう片方の末端８は、カップ底７を配管の外周に接して貫通していて、カップ底下からマドラーまでの配管部分を分割して、マドラー９が付属している配管１３をスライドして伸縮できる。また、配管１２から配管１３を脱着もできる構造になっている。
【符号の説明】
【００２１】
１  カップ  
２  口縁                                                                                                              
３  胴部
４  サイホン管                                                            
５  サイホン管頂上部                                                                    
６  末端
７  底
８  末端
９  マドラー
１０  容器
１１  口縁
１２  配管
１３  配管
Ｈ  高水位
Ｌ  低水位                                                                      
【図１】
2010256017.tif 000003
【図２】
2010256017.tif 000004
【図３】
2010256017.tif 000005
【図４】
2010256017.tif 000006
【図５】
2010256017.tif 000007
【図６】
2010256017.tif 000008
【図７】
2010256017.tif 000009
【図８】
2010256017.tif 000010
【図９】
2010256017.tif 000011